【手続補正書】
【提出日】平成30年9月28日(2018.9.28)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
チャネルが送信されるべき無線フレームのサブフレームを指示する再送パターンを決定することと、ここにおいて、前記決定は、前記無線フレームのために使用するにあたってサブフレーム構成に少なくとも部分的に基づき、前記サブフレーム構成は、前記無線フレームの前記サブフレームのアップリンクまたはダウンリンク・サブフレームの方向のうちの少なくとも１つを指示する、
前記決定された再送パターンにしたがって前記チャネルを送信することと、
前記決定された再送パターンにしたがって前記チャネルの周りで１つまたは複数の他のチャネルをレート・マッチングすることと、
を備える方法。
【請求項２】
時分割複信（ＴＤＤ）サブフレーム構成とは異なる再送パターンが周波数分割複信（ＦＤＤ）サブフレーム構成のために決定される、請求項１に記載の方法。
【請求項３】
ＦＤＤサブフレーム構成に関しては、前記再送パターンは、ページングのために使用される１つまたは複数のサブフレームを備える、請求項２に記載の方法。
【請求項４】
ＦＤＤサブフレーム構成に関しては、前記再送パターンは、前記無線フレームの第５のサブフレームを備え、ＴＤＤサブフレーム構成に関しては、前記再送パターンは、前記無線フレームの第９のサブフレームを備える、請求項２に記載の方法。
【請求項５】
ＴＤＤサブフレーム構成およびＦＤＤサブフレーム構成に関わる再送パターンは、少なくとも１つの共通のサブフレームを共有する、請求項２に記載の方法。
【請求項６】
前記決定は、動作帯域幅に、少なくとも部分的に、基づき、特定のサブフレーム構成に関しては、前記チャネルを繰り返すために使用されるサブフレームは、特定の動作帯域幅に関してのみ前記再送パターンに含まれる、請求項１に記載の方法。
【請求項７】
前記チャネルは、物理ブロードキャスト・チャネルを備える、請求項１に記載の方法。
【請求項８】
前記決定された再送パターンにしたがって前記チャネルを送信するときに１つまたは複数の他のチャネルをパンクチャすることをさらに備える、請求項１に記載の方法。
【請求項９】
前記チャネルが前記決定された再送パターンにしたがって送信されるべきことを指示するシグナリングを送信することをさらに備える、請求項１に記載の方法。
【請求項１０】
前記チャネルは、物理ブロードキャスト・チャネル（ＰＢＣＨ）を備え、
前記シグナリングは、システム情報ブロック（ＳＩＢ）送信を介して提供される、請求項９に記載の方法。
【請求項１１】
前記決定された再送パターンにしたがって前記チャネルを送信するときに１つまたは複数の他のチャネルをパンクチャすることをさらに備える、請求項９に記載の方法。
【請求項１２】
前記１つまたは複数の他のチャネルは、前記決定された再送パターンにしたがって前記チャネルの送信をサポートしないレガシ・デバイスによって復号可能であるチャネルを備える、または、
前記１つまたは複数の他のチャネルは、前記決定された再送パターンにしたがって前記チャネルの前記送信を認識しないデバイスによって復号可能であるチャネルを備える、
のうちの少なくとも１つである、請求項１１に記載の方法。
【請求項１３】
前記１つまたは複数の他のチャネルは、前記決定された再送パターンにしたがって前記チャネルの前記送信を認識するデバイスによって復号可能であるチャネルを備える、請求項９に記載の方法。
【請求項１４】
ユーザ機器（ＵＥ）によるワイヤレス通信のための方法であって、
チャネルが送信されるべき無線フレームのサブフレームを指示する再送パターンを決定することと、ここにおいて、前記決定は、前記無線フレームのために使用するにあたってサブフレーム構成に少なくとも部分的に基づき、前記サブフレーム構成は、前記無線フレームの前記サブフレームのアップリンクまたはダウンリンク・サブフレームの方向のうちの少なくとも１つを指示する、
前記決定された再送パターンにしたがって前記チャネルの送信をモニタすることと、
前記決定された再送パターンにしたがって前記チャネルの送信をモニタするときに１つまたは複数の他のチャネルに基づいてレート・マッチングを実施することと、
を備える方法。
【請求項１５】
時分割複信（ＴＤＤ）サブフレーム構成とは異なる再送パターンが周波数分割複信（ＦＤＤ）サブフレーム構成に関して決定される、請求項１４に記載の方法。
【請求項１６】
ＦＤＤサブフレーム構成に関しては、前記再送パターンは、ページングのために使用される１つまたは複数のサブフレームを備える、請求項１５に記載の方法。
【請求項１７】
ＦＤＤサブフレーム構成に関しては、前記再送パターンは、前記無線フレームの第５のサブフレームを備え、ＴＤＤサブフレーム構成に関しては、前記再送パターンは、前記無線フレームの第９のサブフレームを備える、請求項１５に記載の方法。
【請求項１８】
ＴＤＤサブフレーム構成およびＦＤＤサブフレーム構成に関わる再送パターンは、少なくとも１つの共通のサブフレームを共有する、請求項１５に記載の方法。
【請求項１９】
前記決定は、動作帯域幅に、少なくとも部分的に、基づき、特定のサブフレーム構成に関しては、前記チャネルを繰り返すために使用されるサブフレームは、特定の動作帯域幅にのみ関わる前記再送パターンに含まれる、請求項１４に記載の方法。
【請求項２０】
前記決定は、前記再送パターンの事前の認識なしで前記チャネルの繰り返される送信の検出に基づく、請求項１４に記載の方法。
【請求項２１】
前記１つまたは複数の他のチャネルは、前記決定された再送パターンにしたがって前記チャネルの送信をサポートしないレガシ・デバイスによって復号可能であるチャネルを備える、請求項１４に記載の方法。
【請求項２２】
前記決定は、前記チャネルが前記決定された再送パターンにしたがって送信されるべきことを指示する受信されたシグナリングに基づく、請求項１４に記載の方法。
【請求項２３】
前記チャネルは、物理ブロードキャスト・チャネル（ＰＢＣＨ）を備え、
前記シグナリングは、システム情報ブロック（ＳＩＢ）送信を介して提供される、請求項２２に記載の方法。
【請求項２４】
前記決定された再送パターンにしたがって前記チャネルをモニタするときに１つまたは複数の他のチャネルに基づいてレート・マッチングを実施することをさらに備える、請求項２２に記載の方法。
【請求項２５】
前記１つまたは複数の他のチャネルは、前記決定された再送パターンにしたがって前記繰り返されるチャネルの前記送信を認識しないデバイスによって復号可能であるチャネルを備える、請求項２４に記載の方法。
【請求項２６】
前記決定された再送パターンにしたがって前記チャネルの周りで１つまたは複数の他のチャネルをレート・マッチングすることをさらに備え、前記１つまたは複数の他のチャネルは、前記決定された再送パターンにしたがって前記チャネルの前記送信を認識するデバイスによって復号可能であるチャネルを備える、請求項２２に記載の方法。
【請求項２７】
基地局（ＢＳ）によるワイヤレス通信のための装置であって、
チャネルが送信されるべき無線フレームのサブフレームを指示する再送パターンを決定することと、ここにおいて、前記決定は、前記無線フレームのために使用するにあたってサブフレーム構成に少なくとも部分的に基づき、前記サブフレーム構成は、前記無線フレームの前記サブフレームのアップリンクまたはダウンリンク・サブフレームの方向のうちの少なくとも１つを指示する、
前記決定された再送パターンにしたがって前記チャネルを送信することと、
前記決定された再送パターンにしたがって前記チャネルの周りで１つまたは複数の他のチャネルをレート・マッチングすることと、
を行うように構成されている、少なくとも１つのプロセッサと、
前記少なくとも１つのプロセッサと結合されたメモリと、
を備える、装置。
【請求項２８】
ユーザ機器（ＵＥ）によるワイヤレス通信のための装置であって、
チャネルが送信されるべき無線フレームのサブフレームを指示する再送パターンを決定することと、ここにおいて、前記決定は、前記無線フレームのために使用するにあたってサブフレーム構成に少なくとも部分的に基づき、前記サブフレーム構成は、前記無線フレームの前記サブフレームのアップリンクまたはダウンリンク・サブフレームの方向のうちの少なくとも１つを指示する、
前記決定された再送パターンにしたがって前記チャネルの送信をモニタすることと、
前記決定された再送パターンにしたがって前記チャネルの送信をモニタするときに１つまたは複数の他のチャネルに基づいてレート・マッチングを実施することと、
を行うように構成されている、少なくとも１つのプロセッサと、
前記少なくとも１つのプロセッサと結合されたメモリと、
を備える、装置。
【手続補正２】
【補正対象書類名】明細書
【補正対象項目名】００７８
【補正方法】変更
【補正の内容】
【００７８】
[0101]  本開示の先の説明は、当業者の誰もが本開示を製造または使用することを可能にするために提供される。本開示に対するさまざまな修正は、当業者に容易に明らかであり、本書に定義されている包括的な原理は、本開示の精神または範囲から逸脱せずに、他のバリエーションに適用され得る。かくして、本開示は、本書において説明された例および設計に限定されるよう意図されず、本書で開示された原理および新規の特徴と一致する最も幅広い範囲が付与されるべきである。
以下に本願の出願当初の特許請求の範囲に記載された発明を付記する。
［Ｃ１］
基地局（ＢＳ）によるワイヤレス通信のための方法であって、
チャネルが送信されるべき無線フレームのサブフレームを指示する再送パターンを決定することと、
前記決定された再送パターンにしたがって前記チャネルを送信することと、を備える方法。
［Ｃ２］
前記決定は、サブフレーム構成に少なくとも部分的に基づく、Ｃ１に記載の方法。
［Ｃ３］
時分割複信（ＴＤＤ）サブフレーム構成とは異なる再送パターンが周波数分割複信（ＦＤＤ）サブフレーム構成のために決定される、Ｃ２に記載の方法。
［Ｃ４］
ＦＤＤサブフレーム構成に関しては、前記再送パターンは、ページングのために使用される１つまたは複数のサブフレームを備える、Ｃ３に記載の方法。
［Ｃ５］
ＦＤＤサブフレーム構成に関しては、前記再送パターンは、前記無線フレームの第５のサブフレームを備え、ここにおいて、ＴＤＤサブフレーム構成に関しては、前記再送パターンは、前記無線フレームの第９のサブフレームを備える、Ｃ３に記載の方法。
［Ｃ６］
ＴＤＤサブフレーム構成およびＦＤＤサブフレーム構成に関わる再送パターンは、少なくとも１つの共通のサブフレームを共有する、Ｃ３に記載の方法。
［Ｃ７］
前記決定は、動作帯域幅に、少なくとも部分的に、基づき、ここにおいて、特定のサブフレーム構成に関しては、所定のサブフレームは、特定の動作帯域幅に関してのみ前記再送パターンに含まれる、Ｃ１に記載の方法。
［Ｃ８］
前記チャネルは、物理ブロードキャスト・チャネルを備える、Ｃ１に記載の方法。
［Ｃ９］
前記決定された再送パターンにしたがって前記チャネルを送信するときに１つまたは複数の他のチャネルをパンクチャすることをさらに備える、Ｃ１に記載の方法。
［Ｃ１０］
前記チャネルが前記決定された再送パターンにしたがって送信されるべきことを指示するシグナリングを送信することをさらに備える、Ｃ１に記載の方法。
［Ｃ１１］
前記チャネルは、物理ブロードキャスト・チャネル（ＰＢＣＨ）を備え、
前記シグナリングは、システム情報ブロック（ＳＩＢ）送信を介して提供される、Ｃ１０に記載の方法。
［Ｃ１２］
前記決定された再送パターンにしたがって前記チャネルを送信するときに１つまたは複数の他のチャネルをパンクチャすることをさらに備える、Ｃ１０に記載の方法。
［Ｃ１３］
前記１つまたは複数の他のチャネルは、前記決定された再送パターンにしたがって前記チャネルの送信をサポートしないレガシ・デバイスによって復号可能であるチャネルを備える、または、
前記１つまたは複数の他のチャネルは、前記決定された再送パターンにしたがって前記チャネルの前記送信を認識しないデバイスによって復号可能であるチャネルを備える、のうちの少なくとも１つである、Ｃ１２に記載の方法。
［Ｃ１４］
前記決定された再送パターンにしたがって前記チャネルの周りの１つまたは複数の他のチャネルをレート・マッチングすることをさらに備え、ここにおいて、前記１つまたは複数の他のチャネルは、前記決定された再送パターンにしたがって前記チャネルの前記送信を認識するデバイスによって復号可能であるチャネルを備える、Ｃ１０に記載の方法。
［Ｃ１５］
ユーザ機器（ＵＥ）によるワイヤレス通信のための方法であって、
チャネルが送信されるべき無線フレームのサブフレームを指示する再送パターンを決定することと、
前記決定された再送パターンにしたがって前記チャネルの送信をモニタすることと、を備える方法。
［Ｃ１６］
前記決定は、サブフレーム構成に、少なくとも部分的に、基づき、ここにおいて、前記チャネルは、物理ブロードキャスト・チャネルを備える、Ｃ１５に記載の方法。
［Ｃ１７］
時分割複信（ＴＤＤ）サブフレーム構成とは異なる再送パターンが周波数分割複信（ＦＤＤ）サブフレーム構成に関して決定される、Ｃ１６に記載の方法。
［Ｃ１８］
ＦＤＤサブフレーム構成に関しては、前記再送パターンは、ページングのために使用される１つまたは複数のサブフレームを備える、Ｃ１７に記載の方法。
［Ｃ１９］
ＦＤＤサブフレーム構成に関しては、前記再送パターンは、前記無線フレームの第５のサブフレームを備え、ここにおいて、ＴＤＤサブフレーム構成に関しては、前記再送パターンは、前記無線フレームの第９のサブフレームを備える、Ｃ１７に記載の方法。
［Ｃ２０］
ＴＤＤサブフレーム構成およびＦＤＤサブフレーム構成に関わる再送パターンは、少なくとも１つの共通のサブフレームを共有する、Ｃ１７に記載の方法。
［Ｃ２１］
前記決定は、動作帯域幅に、少なくとも部分的に、基づき、ここにおいて、特定のサブフレーム構成に関しては、所定のサブフレームは、特定の動作帯域幅にのみ関わる前記再送パターンに含まれる、Ｃ１５に記載の方法。
［Ｃ２２］
前記決定は、前記再送パターンの事前の認識なしで前記チャネルの繰り返される送信の検出に基づく、Ｃ１５に記載の方法。
［Ｃ２３］
前記決定された再送パターンにしたがって前記チャネルの送信をモニタするときに１つまたは複数の他のチャネルに基づいてレート・マッチングを実施することをさらに備え、ここにおいて、前記１つまたは複数の他のチャネルは、前記決定された再送パターンにしたがって前記チャネルの送信をサポートしないレガシ・デバイスによって復号可能であるチャネルを備える、Ｃ１５に記載の方法。
［Ｃ２４］
前記決定は、前記チャネルが前記決定された再送パターンにしたがって送信されるべきことを指示する受信されたシグナリングに基づく、Ｃ１５に記載の方法。
［Ｃ２５］
前記チャネルは、物理ブロードキャスト・チャネル（ＰＢＣＨ）を備え、
前記シグナリングは、システム情報ブロック（ＳＩＢ）送信を介して提供される、Ｃ２４に記載の方法。
［Ｃ２６］
前記決定された再送パターンにしたがって前記チャネルをモニタするときに１つまたは複数の他のチャネルに基づいてレート・マッチングを実施することをさらに備える、Ｃ２４に記載の方法。
［Ｃ２７］
前記１つまたは複数の他のチャネルは、前記決定された再送パターンにしたがって前記繰り返されるチャネルの前記送信を認識しないデバイスによって復号可能であるチャネルを備える、Ｃ２６に記載の方法。
［Ｃ２８］
前記決定された再送パターンにしたがって前記チャネルの周りで１つまたは複数の他のチャネルをレート・マッチングすることをさらに備え、ここにおいて、前記１つまたは複数の他のチャネルは、前記決定された再送パターンにしたがって前記チャネルの前記送信を認識するデバイスによって復号可能であるチャネルを備える、Ｃ２４に記載の方法。
［Ｃ２９］
基地局（ＢＳ）によるワイヤレス通信のための装置であって、
チャネルが送信されるべき無線フレームのサブフレームを指示する再送パターンを決定することと、
前記決定された再送パターンにしたがって前記チャネルを送信することと、を行うように構成されている、少なくとも１つのプロセッサと、
前記少なくとも１つのプロセッサと結合されたメモリと、を備える、装置。
［Ｃ３０］
ユーザ機器（ＵＥ）によるワイヤレス通信のための装置であって、
チャネルが送信されるべき無線フレームのサブフレームを指示する再送パターンを決定することと、
前記決定された再送パターンにしたがって前記チャネルの送信をモニタすることと、を行うように構成されている、少なくとも１つのプロセッサと、
前記少なくとも１つのプロセッサと結合されたメモリと、を備える、装置。